(57)【特許請求の範囲】
【請求項１】
開閉可能な蓋板を備えた箱本体内の底面上に、互いに平行な複数の支持壁が突設された段ボール製の敷き板が設置され、前記敷き板には、各支持壁の頂部の複数箇所を切り欠いて凹溝を形成することにより複数本の棒状体を横倒しの状態で保持するための凹溝の列が複数列形成されて成る棒状体の収納箱において、
前記箱本体内の敷き板上に各支持壁と交差させて配備される複数の段ボール製の仕切り板を備え、前記敷き板には、各支持壁の頂部の複数箇所を仕切り板の厚みに合わせた溝幅で切り欠いて係合溝を形成することにより仕切り板の下端部が係合する係合溝の列が各凹溝の列と平行に複数列形成されるとともに、各仕切り板には、凹溝の列上に被さる大きさの屈曲可能な内蓋部が一体に形成されて成る棒状体の収納箱。
【請求項２】
前記支持壁は、頂部において連続する一対の壁板より成り、頂部を切り欠いて各壁板に形成された凹溝内には、凹溝内に棒状体が挿入されたとき、外側へ屈曲されて棒状体の下面に接する支持片がそれぞれ配設されている請求項１に記載された棒状体の収納箱。
【請求項３】
前記凹溝は、棒状体を受け入れる溝開口の溝幅が棒状体の径より小さく設定されている請求項１または２に記載された棒状体の収納箱。
【請求項４】
前記仕切り板の下端部には、敷き板の各支持壁に対応する位置に、敷き板の係合溝と直交方向に咬み合う咬合溝が開設され、隣り合う咬合溝間には、隣り合う支持壁間に嵌合する仕切り片が形成されている請求項１に記載された棒状体の収納箱。
【請求項５】
前記支持壁は、頂部において連続する一対の壁板より成り、前記仕切り板の下端部には、敷き板の各支持壁に対応する位置に、敷き板の係合溝と直交方向に咬み合う咬合溝が開設され、隣り合う咬合溝間には、隣り合う支持壁間に嵌合する仕切り片が形成されるとともに、各咬合溝内には、支持壁の前記壁板間に係合する係合片が形成されている請求項１に記載された棒状体の収納箱。
【発明の詳細な説明】
【技術分野】
【０００１】
この発明は、コンクリート，ガラス，陶磁器，金属などを素材とする各種の棒状体を収納するのに用いられる収納箱に関し、特に、複数本の棒状体をそれぞれ横倒しの状態に保持して収納するための棒状体の収納箱に関する。
【背景技術】
【０００２】
例えば、既存の建造物の耐震診断を行う際には、その建造物を構成するコンクリートの強度などを調査することが不可欠である。そのため、従来から、耐震診断の対象とする建造物の壁や柱などよりコンクリートを円柱状に切り出し、この採取した円柱状のコンクリートをサンプルとして試験機関へ送り、コンクリート強度などの測定試験を行っている。
【０００３】
上記したコンクリートのサンプルを試験機関に送るために、例えば、段ボール製の収納箱が用いられている。収納箱の内部に上記のサンプルを収納して搬送すると、搬送中に収納箱に外部から衝撃が加わったとしても、段ボールの緩衝作用によって収納されたサンプルに衝撃が直接伝わらず、サンプルが衝撃により損傷を受けるのを防止できる。しかし、収納箱内に複数本のサンプルを収納して搬送すると、搬送中に収納箱内で各サンプルが動き回ることにより、サンプル同士が衝突しあって破損するおそれがある。そこで、上記したサンプルのような円柱状の棒状体を複数本整列させた状態で保持することができる段ボール製の支持体が提案されている（例えば、特許文献１参照）。この支持体は収納箱内の底面上に設置され、複数本の棒状体を互いに間隔をあけて横倒しの状態に支持するものである。
【０００４】
【特許文献１】特開２００６−６９５７６号公報
【０００５】
この特許文献１に記載された支持体１００は、図７に示すように、１枚の段ボール紙を所定の折り目に沿って折り曲げることにより形成され、交互に連なる複数の平面部１０１と複数の支持壁１０２とを備えている。各支持壁１０２は山形状であり、支持壁１０２，１０２間には、各支持壁１０２の頂部を棒状体１０３の径に合わせた開口幅で切り欠くことにより棒状体１０３の外周面を複数箇所で支持する凹溝１０４の列が複数列形成されている。この支持体１００を収納箱（図示せず）の内部の底面上に設置し、各凹溝１０４の列上に棒状体１０３を嵌め込むことによって、複数本の棒状体１０３が収納箱の内部に所定の間隔をあけて横倒しの状態で保持される。
【発明の開示】
【発明が解決しようとする課題】
【０００６】
しかしながら、上記した構成の支持体１００が配置された収納箱では、支持壁１０２は凹溝１０４の列に嵌り込んだ棒状体１０３を単に下方から支持しているだけであるから、例えば搬送時において、収納箱に下方から急激な振動や衝撃が加わると、棒状体１０３が上方に飛び出て凹溝１０４の列から抜け出し、移動してしまうおそれがある。その結果、棒状体１０３同士が衝突しあって破損するおそれがある。
【０００７】
また、搬送時において、収納箱が複数段に段積みされると、下段の収納箱は上方から圧縮荷重を受けるため、収納箱内の棒状体１０３が上方からの圧縮荷重を受けても損傷しないように、例えば発泡スチロール製の緩衝材を収納箱内の棒状体１０３上に被せるなどの必要がある。
【０００８】
この発明は、上記した問題に着目してなされたもので、搬送時などにおいて、急激な振動や衝撃が加わっても、内部に収納されている棒状体を動かない状態で保持できるとともに、上記衝撃を吸収緩和して棒状体の破損や損傷などを防止できる棒状体の収納箱を提供することを目的とする。
【課題を解決するための手段】
【０００９】
この発明による棒状体の収納箱は、開閉可能な蓋板を備えた箱本体内の底面上に、互いに平行な複数の支持壁が突設された段ボール製の敷き板が設置され、前記敷き板には、各支持壁の頂部の複数箇所を切り欠いて凹溝を形成することにより複数本の棒状体を横倒しの状態で保持するための凹溝の列が複数列形成されて成るものであり、前記箱本体内の敷き板上に各支持壁と交差させて配備される複数の段ボール製の仕切り板を備えている。前記敷き板には、各支持壁の頂部の複数箇所を仕切り板の厚みに合わせた溝幅で切り欠いて係合溝を形成することにより仕切り板の下端部が係合する係合溝の列が各凹溝の列と平行に複数列形成されるとともに、各仕切り板には、凹溝の列上に被さる大きさの屈曲可能な内蓋部が一体に形成されている。
【００１０】
上記した構成の棒状体の収納箱では、敷き板に形成された各凹溝の列に対して棒状体をそれぞれ嵌め込むことにより、複数本の棒状体が所定間隔をあけて整列した横倒しの状態に保持される。各凹溝の列に対応して内蓋部を有する仕切り板が配備されているので、各仕切り板の内蓋部を対応する凹溝の列上に屈曲して各棒状体上に被せることにより、各棒状体は内蓋部で覆われる。これにより、搬送中などに収納箱に下方から急激な振動や衝撃が加わったとしても、各棒状体は内蓋部により蓋されているため、各凹溝内から上方に飛び出して箱本体内を移動することはなく、収納位置に動かない状態で保持される。
また、収納箱が段積みされて上方から圧縮荷重を受けても、前記内蓋部が荷重を吸収緩和する緩衝体として機能するので、収納された棒状体が破損したり損傷したりすることがない。
各内蓋部の表面に、収納された棒状体に関わる情報を筆記しておけば、箱本体の蓋板を開くだけで、箱内に収納された各棒状体がどのようなものかが一目瞭然で認識できる。
【００１１】
なお、上記した収納箱に収納される棒状体は、例えば、建造物から切り出された円柱状のコンクリートのサンプルであるが、棒状体のものであれば、コンクリートのサンプルに限られるものではない。例えば、コンクリート以外に、ガラス、陶磁器、金属などを素材とする棒状体にも適用でき、また、形態についても、中身が詰まったものであっても、中空のものであってもよい。さらに、ここでいう「棒状体」は、円柱、角柱などの形状のものの他、種々の外形のものを含んでおり、必ずしも断面形状が全長にわたって同一である必要はない。
【００１２】
この発明の好ましい実施態様においては、前記支持壁は、頂部において連続する一対の壁板より成り、頂部を切り欠いて各壁板に形成された凹溝内には、凹溝内に棒状体が挿入されたとき、外側へ屈曲されて棒状体の下面に接する支持片がそれぞれ配設されている。
【００１３】
この実施態様によると、各凹溝内に棒状体が挿入されたとき、各支持片は外側へ屈曲して棒状体の下面に接するので、棒状体の表面が水などの液体で濡れている場合、液体は段ボールがもつ吸水機能により支持片に吸水され、箱本体の底面が濡れるのが防止される。
例えば、棒状体が上記したコンクリートのサンプルである場合、これを建造物より切り出すとき、建造物に水を作用させつつ切出作業が行われるので、切り出されたサンプルの表面には水分が付着している。この実施例によると、そのようなサンプルを切り出した状態のまま収納しても、箱本体の内壁面が水で濡れてしまうことがない。
【００１４】
この発明のさらに好ましい実施態様においては、前記凹溝は、棒状体を受け入れる溝開口の溝幅が棒状体の径よりも小さく設定されている。
【００１５】
この実施態様によると、棒状体を凹溝内に嵌め込むときは、敷き板は段ボール製であるので、溝開口が押し広げられ、棒状体は凹溝内へ難なく嵌まり込む。棒状体が溝開口を通過した後、溝開口はもとの狭い状態に戻るので、凹溝内に嵌り込んだ棒状体は容易に凹溝の溝開口より脱出することができず、動かない状態で凹溝内にしっかりと保持される。
【００１６】
この発明のさらに好ましい実施態様においては、前記仕切り板の下端部には、敷き板の各支持壁に対応する位置に、敷き板の係合溝と直交方向に咬み合う咬合溝が開設され、隣り合う咬合溝間には、隣り合う支持壁間に嵌合する仕切り片が形成されている。
【００１７】
この実施態様によると、敷き板の係合溝に仕切り板の下端部の咬合溝を咬み合わせることにより、仕切り板が敷き板上に各支持壁と交差して配備される。このとき、隣り合う各支持壁の間には、仕切り片が嵌り込むので、支持壁と支持壁との間隔が保持され、仕切り板によって敷き板の形態が保持され、敷き板の支持壁に上方や側方から加圧力が作用しても、敷き板が変形することはない。
なお、敷き板の支持壁が頂部において連続する一対の壁板より成る場合に、各咬合溝内に支持壁の壁板間に係合する係合片を形成すると、係合片が壁板間に嵌り込み、壁板間の間隔も保持される。
【発明の効果】
【００１８】
この発明によれば、搬送時などにおいて、収納箱に急激な振動や衝撃が加わっても、内部に収納されている各棒状体は各仕切り板の内蓋部により覆われて蓋されるので、棒状体が上方に飛び出て凹溝の列から抜け出して箱本体内を移動することはなく、各凹溝内に動かない状態で保持できる。さらに、収納箱が段積みされて上方から圧縮荷重を受けても、各内蓋部が荷重を吸収緩和するので、各棒状体は内蓋部により保護され、棒状体が破損したり損傷したりすることがない。その上、各内蓋部の表面に、収納された棒状体に関わる情報を筆記しておけば、箱本体の蓋板を開くだけで、箱内に収納された各棒状体がどのようなものかが一目瞭然で認識できる。
【発明を実施するための最良の形態】
【００１９】
図１は、この発明の一実施例である棒状体の収納箱の構成を示している。
この棒状体の収納箱は、複数本（図示例では、５本）の棒状体１をそれぞれ横倒しの状態で保持して収納することが可能なもので、蓋板３を一体に備えた箱本体２と、箱本体２の内部に設置され複数列（図示例では、４列）の支持壁４１を有する敷き板４と、箱本体２内の敷き板４上に各支持壁４１と交差して配備される複数枚（図示例では、５枚）の仕切り板５とから成る。
【００２０】
前記棒状体１は、例えば、建造物から切り出された短棒形状のコンクリートのサンプルであるが、図示例の収納箱は、棒状体のものであれば、コンクリートのサンプル以外のものを収納するのに用いることもできる。
【００２１】
前記箱本体２は、平板矩形状の底板部２０と、互いに対向する前壁２１および後壁２２と、互いに対向する側壁２３，２３とが一体に設けられた箱型の容器である。箱本体２の上面は開口しており、後壁２２の上縁に、上面の開口部を塞ぐことが可能な蓋板３が開閉可能に一体形成されている。この箱本体２および蓋板３は、詳細は後述するが、１枚の段ボール製の型紙１１を所定の折り目に沿って折り曲げることにより組み立てられる。
なお、箱本体２は、この実施例では段ボール製であるが、これに限られるものではなく、プラスチック製や金属製など、種々の素材を用いて形成することができる。また、蓋板３は箱本体２に一体形成されている必要はなく、箱本体２と別体であってもよい。
【００２２】
前記敷き板４は、箱本体２の底板部２０上に設置され、図２〜図４に示すように、底板部２０の表面に沿う平板矩形状の複数の内底部４０と逆コ字形を成す複数の支持壁４１とが交互に連なるように形成されている。各内底部４０は、長さが箱本体２の両側壁２３，２３間の長さと同じに設定されている。一方、各支持壁４１は、長さが箱本体２の両側壁２３，２３間の長さよりも少し短く設定されており、これにより、箱本体２の各側壁２３と各支持壁４１の両端部との間に隙間６６，６６（図１に示す）が生じている。この敷き板４は、詳細は後述するが、１枚の段ボール製の型紙１２を所定の折り目に沿って折り曲げることにより組み立てられる。
【００２３】
各支持壁４１は、垂直に立ち上がる一対の壁板４２，４２から成り、各壁板４２，４２は頂部４３において連続している。各支持壁４１は、互いに平行であり、棒状体１を横倒しの状態で外周面を下方より支持する。
なお、図２および図３において、６２，６２は前壁２１および後壁２２の補強壁であり、図１に示すように、箱本体２の前壁２１および後壁２２と当接している。
【００２４】
前記敷き板４には、図２〜図４に示すように、各支持壁４１の頂部４３の複数箇所を、それぞれ同じ位置で頂部４３から各壁板４２にわたって凹状に切り欠いて凹溝４４を形成することにより、凹溝の列８が所定の間隔をあけて複数列（図示例では、５列）形成されている。この凹溝の列８を構成する各凹溝４４に棒状体１を嵌め込んで、棒状体１を４箇所で支持することにより、最大で５本の棒状体１が所定の間隔をあけて整列した横倒しの状態で保持される。
【００２５】
各凹溝４４の溝底部４４Ａは、棒状体１の外周面が嵌るように棒状体１の外形に沿う形状に形成されており、この溝底部４４Ａで棒状体１は下方から支持される。各凹溝４４は、溝底部４４Ａから棒状体１を受け入れる溝開口４４Ｂに向けてその溝幅が徐々に狭くなっており、溝開口４４Ｂの溝幅ｄ１は棒状体１の径よりも小さく設定されている。
【００２６】
棒状体１を凹溝４４内に嵌め込むときは、敷き板４は段ボール製であるので、溝開口４４Ｂを押し広げることで、棒状体１は凹溝４４内へ難なく嵌まり込む。棒状体１が溝開口４４Ｂを通過した後は、溝開口４４Ｂはもとの狭い状態に戻るので、凹溝４４内に嵌り込んだ棒状体１は容易に凹溝４４の溝開口４４Ｂより脱出することができず、動かない状態で凹溝４４内にしっかりと保持される。
【００２７】
凹溝４４は支持壁４１をその頂部４３から各壁板４２，４２にわたって切り欠くことにより形成されるが、この実施例では、凹溝４４を構成する各壁板４２の切り欠き部分を切り取らずに残すことによって一対の支持片６がそれぞれ形成されている。各支持片６は、その外形の輪郭が各壁板４２に下端部を残して設けられた切込線によって形成され、この切込線沿いに各支持片６を各壁板４２から切り離すことが可能である。各支持片６の下端部の凹溝４４の溝底部４４Ａに対応する部分は、壁板４２と一体に連なっており、この連なった部分で折曲部として支持片６を外側へ屈曲して倒すことが可能である。
【００２８】
各支持片６を外側へ屈曲して倒した状態で棒状体１を凹溝４４に嵌め込むとき、各支持片６は棒状体１の下面に接するので、棒状体１の表面が水などの液体で濡れている場合には、液体は段ボールがもつ吸水機能により支持片６に吸収される。
【００２９】
前記敷き板４には、各支持壁４１の頂部４３の複数箇所を、それぞれ同じ位置で頂部４３から各壁板４２にわたって切り欠いて係合溝７を形成することにより、係合溝の列９が所定の間隔をあけて複数列（図示例では、５列）形成されている。この各係合溝の列９は、前記凹溝の列８と平行であり、各凹溝の列８と一対一で対応している。係合溝の列９を構成する各係合溝７は、その溝幅ｄ２が後述する仕切り板５の厚みと一致しており、仕切り板５の下端部を係合することが可能となっている。各係合溝７の深さｈは、支持壁４１の高さのほぼ半分の位置まで達している。
【００３０】
前記の各仕切り板５は、図１に示すように、敷き板４上に各支持壁４１と交差させて配備されている。各仕切り板５は、屈曲可能な内蓋部５０を一体に備え、折曲位置より上の部分が敷き板４の支持壁４１より上方へ突出している。
【００３１】
各仕切り板５の下端部には、敷き板４の各支持壁４１に対応する位置に、仕切り板５の高さのほぼ半分の位置に達する咬合溝５２がそれぞれ開設されている。この各咬合溝５２を敷き板４の各係合溝７と直交する方向に咬み合わせて、仕切り板５を敷き板４上に各支持壁４１と交差させて配備する。
各仕切り板５の下端部には、隣り合う咬合溝５２間に仕切り片５４Ａが、両端位置の咬合溝５２の外側に仕切り片５４Ｂが、それぞれ形成されている。また、各咬合溝５２内には舌状の係合片５３がそれぞれ突設されている。
【００３２】
係合片５３の横幅ｄ３は、支持壁４１を構成する壁板４２，４２の間隔ｄ４（図２に示す）と一致しており、仕切り板５の咬合溝５２を敷き板４の係合溝７に咬み合わせるとき、図５に示すように、支持壁４１の壁板４２，４２間に係合片５３が嵌り込む。
【００３３】
仕切り板５の仕切り片５４Ａおよび仕切り片５４Ｂは、隣り合う支持壁４１，４１の間、または支持壁４１と補強壁６２との間に、それぞれ嵌り込む。各仕切り片５４Ａは、隣り合う支持壁４１とその間の内底部４０とで囲まれる凹部５５Ａの形状に適合する外形を有しており、仕切り板５の各咬合溝５２と敷き板４の各係合溝７とがそれぞれ咬み合い、仕切り片５４Ａが凹部５５Ａに嵌まり込んだ状態では、仕切り片５４Ａの両側端縁が各支持壁４１の内面に、下端縁が敷き板４の内底部４０の上面に、それぞれ当接している。
【００３４】
各仕切り片５４Ｂは、両端の支持壁４１と補強壁６２とその間の内底部４０とで囲まれる凹部５５Ｂの形状に嵌合する外形を有しており、仕切り板５の各咬合溝５２と敷き板４の各係合溝７とがそれぞれ咬み合い、仕切り片５４Ｂが凹部５４Ｂに嵌まり込んだ状態では、仕切り片５４Ｂの両側端縁が支持壁４１および補強壁６２の内面に、下端縁が敷き板４の内底部４０の上面に、それぞれ当接している。
【００３５】
このように、隣り合う支持壁４１の間に仕切り片５４Ａが、両端の支持壁４１と各補強壁６２との間には仕切り片５４Ｂが、それぞれ嵌り込むので、支持壁４１と支持壁４１との間隔が保持される。また、各支持壁４１を構成する一対の壁板４２，４２の間には係合片５３がそれぞれ嵌り込むので、壁板４２，４２間の間隔も保持される。これにより、敷き板４の形態が保持されるので、敷き板４の支持壁４１に上方や側方から加圧力が作用しても、敷き板４が変形することはない。
【００３６】
仕切り板５の内蓋部５０は、図１に示すように、平板矩形状であり、各仕切り板５が敷き板４上に配備されたとき、対応する各凹溝の列８上に被さって収納された棒状体１を覆うことが可能な大きさであって、先端縁が隣りの仕切り板５に揃って内蓋部５０上に被さらない幅を有している。各内蓋部５０の表面は、それぞれ収納された棒状体１に関わる情報を筆記することが可能であり、この実施例では、例えば、「○○ビル５階踊り場」や「○○ビル２階廊下」など、収納されているコンクリートのサンプルがどこで切り出されたかを示す建造物の場所が表示されている。これにより、箱本体２の蓋板３を開くだけで、箱内に収納された各棒状体１がどのようなものかが一目瞭然で認識できる。
【００３７】
上記した箱本体２、敷き板４および各仕切り板５は、図６に示す所定の肉厚を有する段ボール製の型紙１１〜１７を、それぞれ所定の折り目に沿って折り曲げることにより組み立てられる。前記型紙１１〜１７は、１枚の段ボール紙１０から所定の形状で切り取ることによって得ることができる。
【００３８】
箱本体２を組み立てるための型紙１１は、長方形状の底板部２０を中心として、前壁２１および後壁２２が底板部２０の長辺側にそれぞれ折り目２８を介して連設され、両側壁２３，２３が底板部２０の短辺側にそれぞれ折り目３１を介して連設されている。前壁２１および後壁２２の両側縁には、それぞれ折り目２９，３０を介して突出片２４，２５が設けられている。各側壁２３は、展開状態では箱本体２の深さのほぼ２倍の長さを有し、長さ中央位置には、所定の間隔を有する一対の折り目３２，３２が設けられている。各側壁２３の先端縁には、嵌合片２６，２６がそれぞれ突設されている。嵌合片２６，２６は底板部２０の各折り目３１に沿って形成された嵌合孔２７，２７にそれぞれ嵌合可能となっている。
【００３９】
型紙１１から箱本体２を組み立てるには、まず、前壁２１および後壁２２を折り目２８に沿って折り曲げて垂直に立ち上げ、各突出片２４，２５を折り目２９，３０に沿って内向きにそれぞれ９０度折り曲げる。次に、各側壁２３を折り目３１に沿って折り曲げて垂直に立ち上げた後、各側壁２３の先端部２３Ａを折り目線３２，３２に沿って折り曲げて折り返すことにより、前記突出片２４，２５を各側壁２３内に挟み込み、各嵌合片２６を各嵌合孔２７に嵌入させる。このとき、各突出片２４，２５と各側壁２３の基端部２３Ｂとの間にはスリット６５（図１に示す）が生じている。
【００４０】
前記蓋板３は、後壁２２の上縁に折り目３７を介して連設されている。蓋板３は、箱本体２の上面の開口部を塞ぐことが可能な大きさを有する天板部３３を有し、天板部３３の短辺側にはそれぞれ折り目３８を介して側板部３４，３４が、天板部３３の一方の長辺側には折り目３９を介して前板部３５が、それぞれ連設されている。前板部３４の両側縁には、それぞれ折り目６０を介して突片３６，３６が突設されている。
【００４１】
各側板部３４は、箱本体２の各側壁２３と敷き板４の各支持壁４１の両端部との間に形成される前記隙間６６，６６（図１に示す）に嵌入可能である。各突片３６は、箱本体２の各側壁２３の基端部２３Ｂと前壁２１との間に形成される前記スリット６５，６５（図１に示す）に嵌入可能である。各側板部３４を各隙間６６に嵌入させつつ天板部３３を折り目３７に沿って屈曲させた後、各突片３６を各スリット６５に嵌入させつつ前板部３５を折り目３９に沿って９０度内向きに折り曲げることにより、箱本体２はその上面の開口部が蓋板３により塞がれて閉じられる。
【００４２】
敷き板４を組み立てるための型紙１２は、所定の間隔で配された５面の内底部４０を有し、各内底部４０の間にそれぞれ折り目４５を介して支持壁４１を形成する壁板４２，４２が連設されている。壁板４２，４２間には、一対の折り目４６，４６を介して頂部４３が連設されている。両端の内底部４０には、それぞれ折り目６３を介して補強壁６２が連設され、各補強壁６２の中間位置には、折り目６４が設けられている。
なお、各列の各壁板４２，４２および頂部４３には、前記凹溝４４および支持片６を形成するための切り欠き４７、切込線４８，４８および折り目４９と、前記係合溝７を形成するための切り欠き６１とが予め形成されている。
【００４３】
型紙１２から敷き板４を組み立てるには、各内底部４０に対して折り目４５で壁板４２を上方に折り曲げて垂直に立ち上げ、折り目４６，４６で９０度に折り曲げて頂部４３を形成することにより逆コ字形の支持壁４１と内底部４０とを交互に連ねて形成する。また、各補強壁６２は折り目６３に沿って折り曲げて垂直に立ち上げた後、折り目６４に沿って折り返す。
【００４４】
各仕切り板５を形成するための型紙１３〜１７は、折り目５１を介して連設された内蓋部５０を有している。仕切り片５の下端部には、前記咬合溝５２、係合片５３および仕切り片５４Ａ，５４Ｂを形成するための一対の切り込み５６，５６が所定の間隔をあけて４箇所に設けられている。
【００４５】
上記した構成の棒状体の収納箱に棒状体１を収納するためには、箱本体２、敷き板４および各仕切り板５を型紙１１〜１７を用いて組み立てた後、箱本体２内の底板部２０上に敷き板４を設置し、各仕切り板５を箱本体２内の敷き板４上に各支持壁４１と交差させて配備する。次に、敷き板４に形成された各凹溝の列８の各凹溝４４に対して棒状体１をそれぞれ嵌め込むことにより、複数本の棒状体１が所定間隔をあけて整列した横倒しの状態に保持される。そして、各仕切り板５の内蓋部５０を屈曲させて各棒状体１に被せた後、蓋板３を閉じることにより各棒状体１が箱内に収納される。
【００４６】
この棒状体の収納箱によると、各凹溝の列８に対応して内蓋部５０を有する仕切り板５が配備されているので、各仕切り板５の内蓋部５０を対応する凹溝の列８上に屈曲して各棒状体１に被せることにより、各棒状体１は内蓋部５０で覆われる。これにより、搬送中などに収納箱に下方から急激な振動や衝撃が加わっても、各棒状体１は内蓋部５０により蓋されているため、各凹溝４４内から上方に飛び出して箱本体２内を移動することはなく、凹溝４４内で保持される。しかも、各凹溝４４は、その溝開口４４Ｂの溝幅ｄ１が棒状体１の径よりも小さく設定されているので、凹溝４４内に嵌り込んで保持されている棒状体１は凹溝４４の溝開口４４Ｂより脱出することができず、凹溝４４内に動かない状態でしっかりと保持される。
【００４７】
また、収納箱が段積みされて上方から圧縮荷重を受けても、内蓋部５０が荷重を吸収緩和する緩衝体として機能するので、収納された棒状体１が破損したり損傷したりすることがない。さらに、各内蓋部５０の表面に、収納された棒状体１に関わる情報を筆記しておけば、箱本体２の蓋板３を開くだけで、箱内に収納された各棒状体１がどのようなものかが一目瞭然で認識できる。
【００４８】
その上、各凹溝４４内に棒状体１が挿入されたとき、各支持片６は外側へ屈曲して棒状体１の下面に接するので、棒状体１の表面が水などの液体で濡れていたとしても、液体は段ボールがもつ吸水機能により支持片６に吸収されるので、箱本体２の底板部２０が濡れるのが防止される。
【図面の簡単な説明】
【００４９】
【図１】この発明の一実施例である棒状体の収納箱の外観を示す斜視図である。
【図２】敷き板の平面図である。
【図３】図３の敷き板の側面図である。
【図４】図３のＡ−Ａ線に沿う断面図である。
【図５】図１のＢ−Ｂ線に沿う断面図である。
【図６】段ボール紙の平面図である。
【図７】従来の敷き板の外観を示す斜視図である。
【符号の説明】
【００５０】
１    棒状体
２    箱本体
３    蓋板
４    敷き板
５    仕切り板
６    支持片
７    係合溝
８    凹溝の列
９    係合溝の列
２０  底板部
４０  内底部
４１  支持壁
４２  壁板
４３  頂部
４４  凹溝
４４Ｂ  溝開口
５０  内蓋部
５２  咬合溝
５３  係合片
５４Ａ，５４Ｂ  仕切り片
【図１】
0005127403.tif 000002
【図２】
0005127403.tif 000003
【図３】
0005127403.tif 000004
【図４】
0005127403.tif 000005
【図５】
0005127403.tif 000006
【図６】
0005127403.tif 000007
【図７】
0005127403.tif 000008